【手続補正書】
【提出日】平成19年4月18日(2007.4.18)
【手続補正１】
【補正対象書類名】明細書
【補正対象項目名】発明の名称
【補正方法】変更
【補正の内容】
【発明の名称】印刷システムおよび制御方法および記憶媒体
【手続補正２】
【補正対象書類名】明細書
【補正対象項目名】特許請求の範囲
【補正方法】変更
【補正の内容】
【特許請求の範囲】
【請求項１】  第１の文書データ及び第２の文書データを含む複数の文書データを記憶可能な記憶手段の文書データを印刷装置により印刷可能にした印刷システムであって、
前記記憶手段に記憶された前記第１の文書データと前記第２の文書データの印刷物を前記印刷装置により出力させる場合に、複数の文書データを用いた１セット分の印刷物を前記印刷装置により出力させるための指示を、操作手段を介してユーザから受け付けた場合に、
前記記憶手段に記憶された前記第１の文書データと前記第２の文書データとを用いた１セット分の印刷物を前記印刷装置により出力させる制御手段を有し、
前記制御手段は、
前記記憶手段に記憶された前記第１の文書データと前記第２の文書データとを用いた１セット分の印刷物を前記印刷装置により出力させる場合に、
前記第１の文書データの印刷結果と前記第２の文書データの印刷結果との間に合紙が挿入された１セット分の印刷物を前記印刷装置により出力させることを特徴とする印刷システム。
【請求項２】  請求項１記載の印刷システムであって、
前記制御手段は、
前記記憶手段に記憶された前記第１の文書データと前記第２の文書データとを用いた１セット分の印刷物を前記印刷装置により出力させる場合に、
前記合紙に前記第２の文書データを印刷させることを特徴とする印刷システム。
【請求項３】  請求項１又は２記載の印刷システムであって、
前記制御手段は、
前記記憶手段に記憶された前記第１の文書データと前記第２の文書データとを用いた１セット分の印刷物を前記印刷装置により出力させる場合に、
前記第１の文書データの印刷結果の前に表紙が挿入された１セット分の印刷物を前記印刷装置により出力させることを特徴とする印刷システム。
【請求項４】  請求項３記載の印刷システムであって、
前記制御手段は、
前記記憶手段に記憶された前記第１の文書データと前記第２の文書データとを用いた１セット分の印刷物を前記印刷装置により出力させる場合に、
前記表紙に前記第１の文書データを印刷させることを特徴とする印刷システム。
【請求項５】  請求項１乃至４の何れかに記載の印刷システムであって、
前記制御手段は、
前記記憶手段に記憶された前記第１の文書データと前記第２の文書データとを用いた１セット分の印刷物を前記印刷装置により出力させる場合に、
前記第２の文書データの印刷結果の後に裏表紙が挿入された１セット分の印刷物を前記印刷装置により出力させることを特徴とする印刷システム。
【請求項６】  請求項５記載の印刷システムであって、
前記制御手段は、
前記記憶手段に記憶された前記第１の文書データと前記第２の文書データとを用いた１セット分の印刷物を前記印刷装置により出力させる場合に、
前記裏表紙に前記第２の文書データを印刷させることを特徴とする印刷システム。
【請求項７】  請求項１乃至６の何れかに記載の印刷システムであって、
前記制御手段は、
前記記憶手段に記憶された前記第１の文書データと前記第２の文書データとを用いた１セット分の印刷物を前記印刷装置により出力させる場合に、
前記第１の文書データの印刷結果と前記第２の文書データの印刷結果との間に前記合紙が挿入された１セット分の印刷物に対する綴じ処理を後処理手段により実行させることを特徴とする印刷システム。
【請求項８】  請求項１乃至７の何れかに記載の印刷システムであって、
前記制御手段は、
前記記憶手段に記憶された前記第１の文書データと前記第２の文書データとを用いた１セット分の印刷物を前記印刷装置により出力させるのに先立って、前記操作手段を介してユーザから頁番号を付与する指示を受け付けた場合に、
前記第１の文書データの印刷結果と前記第２の文書データの印刷結果とで頁番号が連続した１セット分の印刷物を前記印刷装置により出力させることを特徴とする印刷システム。
【請求項９】  請求項１乃至８の何れかに記載の印刷システムであって、
前記制御手段は、
前記記憶手段に記憶された前記第１の文書データと前記第２の文書データの印刷物を前記印刷装置により出力させる場合に、複数の文書データを用いた１セット分の印刷物を前記印刷装置により出力させるための前記指示を、前記操作手段を介してユーザから受け付けなかった場合に、
前記第１の文書データを用いた１セット分の印刷物と前記第２の文書データを用いた１セット分の印刷物をそれぞれ個別に前記印刷装置により出力させることを特徴とする印刷システム。
【請求項１０】  第１の文書データ及び第２の文書データを含む複数の文書データを記憶可能な記憶手段の文書データを印刷装置により印刷可能にした印刷システムの制御方法であって、
前記記憶手段に記憶された前記第１の文書データと前記第２の文書データの印刷物を前記印刷装置により出力させる場合に、複数の文書データを用いた１セット分の印刷物を前記印刷装置により出力させるための指示を、操作手段を介してユーザから受け付けた場合に、
前記記憶手段に記憶された前記第１の文書データと前記第２の文書データとを用いた１セット分の印刷物を前記印刷装置により出力させ、
前記制御方法は、
前記記憶手段に記憶された前記第１の文書データと前記第２の文書データとを用いた１セット分の印刷物を前記印刷装置により出力させる場合に、
前記第１の文書データの印刷結果と前記第２の文書データの印刷結果との間に合紙が挿入された１セット分の印刷物を前記印刷装置により出力させることを特徴とする制御方法。
【請求項１１】  請求項１０記載の制御方法であって、
前記制御方法は、
前記記憶手段に記憶された前記第１の文書データと前記第２の文書データとを用いた１セット分の印刷物を前記印刷装置により出力させる場合に、
前記合紙に前記第２の文書データを印刷させることを特徴とする制御方法。
【請求項１２】  請求項１０又は１１記載の制御方法であって、
前記制御方法は、
前記記憶手段に記憶された前記第１の文書データと前記第２の文書データとを用いた１セット分の印刷物を前記印刷装置により出力させる場合に、
前記第１の文書データの印刷結果の前に表紙が挿入された１セット分の印刷物を前記印刷装置により出力させることを特徴とする制御方法。
【請求項１３】  請求項１２記載の制御方法であって、
前記制御方法は、
前記記憶手段に記憶された前記第１の文書データと前記第２の文書データとを用いた１セット分の印刷物を前記印刷装置により出力させる場合に、
前記表紙に前記第１の文書データを印刷させることを特徴とする制御方法。
【請求項１４】  請求項１０乃至１３の何れかに記載の制御方法であって、
前記制御方法は、
前記記憶手段に記憶された前記第１の文書データと前記第２の文書データとを用いた１セット分の印刷物を前記印刷装置により出力させる場合に、
前記第２の文書データの印刷結果の後に裏表紙が挿入された１セット分の印刷物を前記印刷装置により出力させることを特徴とする制御方法。
【請求項１５】  請求項１４記載の制御方法であって、
前記制御方法は、
前記記憶手段に記憶された前記第１の文書データと前記第２の文書データとを用いた１セット分の印刷物を前記印刷装置により出力させる場合に、
前記裏表紙に前記第２の文書データを印刷させることを特徴とする制御方法。
【請求項１６】  請求項１０乃至１５の何れかに記載の制御方法であって、
前記制御方法は、
前記記憶手段に記憶された前記第１の文書データと前記第２の文書データとを用いた１セット分の印刷物を前記印刷装置により出力させる場合に、
前記第１の文書データの印刷結果と前記第２の文書データの印刷結果との間に前記合紙が挿入された１セット分の印刷物に対する綴じ処理を後処理手段により実行させることを特徴とする制御方法。
【請求項１７】  請求項１０乃至１６の何れかに記載の制御方法であって、
前記制御方法は、
前記記憶手段に記憶された前記第１の文書データと前記第２の文書データとを用いた１セット分の印刷物を前記印刷装置により出力させるのに先立って、前記操作手段を介してユーザから頁番号を付与する指示を受け付けた場合に、
前記第１の文書データの印刷結果と前記第２の文書データの印刷結果とで頁番号が連続した１セット分の印刷物を前記印刷装置により出力させることを特徴とする制御方法。
【請求項１８】  請求項１０乃至１７の何れかに記載の制御方法であって、
前記制御方法は、
前記記憶手段に記憶された前記第１の文書データと前記第２の文書データの印刷物を前記印刷装置により出力させる場合に、複数の文書データを用いた１セット分の印刷物を前記印刷装置により出力させるための前記指示を、前記操作手段を介してユーザから受け付けなかった場合に、
前記第１の文書データを用いた１セット分の印刷物と前記第２の文書データを用いた１セット分の印刷物をそれぞれ個別に前記印刷装置により出力させることを特徴とする制御方法。
【請求項１９】  請求項１０乃至１８の何れかに記載の制御方法をコンピュータに実行させるためのプログラムを記録したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、第１の文書データ及び第２の文書データを含む複数の文書データを記憶可能な記憶手段の文書データを印刷装置により印刷可能にした印刷システムおよび制御方法および記憶媒体に関するものである。
【手続補正４】
【補正対象書類名】明細書
【補正対象項目名】００１０
【補正方法】変更
【補正の内容】
【００１０】
本発明は、上記の問題点を解決するためになされたもので、本発明の目的は、印刷装置内に蓄積された複数の文書を一括して出力した場合でも容易に文書と文書の切れ目を区分けすることができる仕組を提供することである。
【手続補正５】
【補正対象書類名】明細書
【補正対象項目名】００１１
【補正方法】変更
【補正の内容】
【００１１】
【課題を解決するための手段】
本発明は、第１の文書データ及び第２の文書データを含む複数の文書データを記憶可能な記憶手段の文書データを印刷装置により印刷可能にした印刷システムであって、前記記憶手段に記憶された前記第１の文書データと前記第２の文書データの印刷物を前記印刷装置により出力させる場合に、複数の文書データを用いた１セット分の印刷物を前記印刷装置により出力させるための指示を、操作手段を介してユーザから受け付けた場合に、前記記憶手段に記憶された前記第１の文書データと前記第２の文書データとを用いた１セット分の印刷物を前記印刷装置により出力させる制御手段を有し、前記制御手段は、前記記憶手段に記憶された前記第１の文書データと前記第２の文書データとを用いた１セット分の印刷物を前記印刷装置により出力させる場合に、前記第１の文書データの印刷結果と前記第２の文書データの印刷結果との間に合紙が挿入された１セット分の印刷物を前記印刷装置により出力させることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】０１６４
【補正方法】変更
【補正の内容】
【０１６４】
【発明の効果】
以上説明したように、請求項１記載の本発明によれば、第１の文書データ及び第２の文書データを含む複数の文書データを記憶可能な記憶手段の文書データを印刷装置により印刷可能にした印刷システムであって、前記記憶手段に記憶された前記第１の文書データと前記第２の文書データの印刷物を前記印刷装置により出力させる場合に、複数の文書データを用いた１セット分の印刷物を前記印刷装置により出力させるための指示を、操作手段を介してユーザから受け付けた場合に、前記記憶手段に記憶された前記第１の文書データと前記第２の文書データとを用いた１セット分の印刷物を前記印刷装置により出力させることができ、前記記憶手段に記憶された前記第１の文書データと前記第２の文書データとを用いた１セット分の印刷物を前記印刷装置により出力させる場合に、前記第１の文書データの印刷結果と前記第２の文書データの印刷結果との間に合紙が挿入された１セット分の印刷物を前記印刷装置により出力させることができ、前記記憶手段に記憶された前記第１の文書データと前記第２の文書データを一括して出力した場合でも、容易に文書と文書の切れ目を区分けすることができる。
【手続補正２１】
【補正対象書類名】明細書
【補正対象項目名】０１６５
【補正方法】削除
【補正の内容】
【手続補正２２】
【補正対象書類名】明細書
【補正対象項目名】０１６６
【補正方法】削除
【補正の内容】
【手続補正２３】
【補正対象書類名】図面
【補正対象項目名】図１７
【補正方法】変更
【補正の内容】
【図１７】
2001309116.tif 000001